(57)【要約】【課題】生地片にダメージを与えることなく、立体的な接合部への適用が可能な衣類の接合方法及び衣類を提供する。【解決手段】複数の生地片２，４を接着剤で接合して構成される衣類の接合方法であって、熱変形弾性糸が編み込まれたヨコ編地でなる生地片２，４の接着部に、前記熱変形弾性糸の熱変形温度よりも低い軟化温度の樹脂または前記熱変形弾性糸の熱変形温度よりも低い融点の化合物の何れかを主成分とする接着剤３０を塗布して、前記熱変形弾性糸の熱変形温度より低温で加熱処理して接着する。【選択図】図４
2018159166.tif 000002
【特許請求の範囲】
【請求項１】
ヨコ編地でなる複数の生地片を接着剤で接合して構成される衣類の接合方法であって、
熱変形弾性糸が編み込まれた生地片の接着部に、前記熱変形弾性糸の熱変形温度よりも低い軟化温度または溶融温度を有する接着剤を塗布して、前記熱変形弾性糸の熱変形温度より低温で加熱処理して接着することを特徴とする衣類の接合方法。
【請求項２】
前記生地片の伸縮方向に沿った任意の直線上で接着位置が非接着領域を挟んで点状に分布する任意のパターンで前記接着剤が塗布されることを特徴とする請求項１記載の衣類の接合方法。
【請求項３】
前記接着剤がウレタンまたはオレフィンを含むポリマー、プレポリマー及びオリゴマーから選ばれる少なくとも一種を主成分とする接着剤であることを特徴とする請求項１または２記載の衣類の接合方法。
【請求項４】
ヨコ編地でなる複数の生地片が接合部で接合され、少なくとも接合部の一部が接着剤で接合されている衣類であって、
前記接着剤で接合される生地片は、熱変形弾性糸が編み込まれた生地片で構成され、
前記熱変形弾性糸の熱変形温度よりも低い軟化温度または溶融温度を有する接着剤が前記生地片に塗布され、前記熱変形弾性糸の熱変形温度より低温での加熱処理により接着されている、ことを特徴とする衣類。
【請求項５】
前記生地片の伸縮方向に沿った任意の直線上で接着位置が非接着領域を挟んで点状に分布する任意のパターンで前記接着剤が塗布されることを特徴とする請求項４記載の衣類。
【請求項６】
前記熱変形弾性糸が軟化温度１４０℃から１８５℃のポリウレタンであり、
前記接着剤の主成分がウレタンまたはオレフィンを含むポリマー、プレポリマー及びオリゴマーから選ばれる少なくとも一種である、ことを特徴とする請求項４または５記載の衣類。
【請求項７】
前記接着剤の１２０℃溶融粘度が８０００ｍＰａ・ｓから２２０００ｍＰａ・ｓである、ことを特徴とする請求項４から６の何れかに記載の衣類。
【請求項８】
前記接着剤の１２０℃溶融粘度が１３０００ｍＰａ・ｓから１９０００ｍＰａ・ｓである、ことを特徴とする請求項７記載の衣類。
【請求項９】
前記接着剤を用いて生地片が輪状に接合されている、ことを特徴とする請求項４から８の何れかに記載の衣類。
【請求項１０】
前記接着剤は反応型ホットメルト樹脂である、ことを特徴とする請求項４から９の何れかに記載の衣類。
【発明の詳細な説明】
【技術分野】
【０００１】
本発明は、複数の生地片を接着剤で接合して構成される衣類の接合方法及び接着剤で接合された衣類に関する。
【背景技術】
【０００２】
一般的に、衣類は、所定の基準パターンに沿って裁断された複数の生地片が互いに接合されることによって身体に沿う立体構造になるように構成されている。そして、そのような生地片を接合するためにミシンを用いた縫製処理が採用されている。
【０００３】
しかし、縫製処理を採用した生地片の端部処理や接合処理は、その縫製部位が厚手になることから、ごろつく等の肌触りの悪さの原因となっていた。また、手間の掛かる縫製処理よりも簡易で製造コストを低減可能な接合処理が望まれていた。
【０００４】
特許文献１には、接合部分が薄く仕上がり、しかも縫製箇所を無くすことにより、肌触りが良く、簡単に製造できるショーツを提供することを目的として、前身頃端部と後身頃端部を重ね合わせて、当該箇所を熱可塑性樹脂フィルムで接着し、またクロッチ部に裏当て布を熱可塑性樹脂フィルムで接着したショーツが提案されている。熱可塑性樹脂フィルムとして、熱可塑性ポリウレタン等の伸縮性を有するホットメルト接着剤が用いられている、
【先行技術文献】
【特許文献】
【０００５】
【特許文献１】実用新案登録第３１３６０９８号公報
【発明の概要】
【発明が解決しようとする課題】
【０００６】
しかし、特許文献１に記載されたような熱可塑性樹脂フィルムを用いて生地片を接着する方法を採用すると、生地片の重畳部を平坦な基台を備えたプレス機に配置して高圧で加圧しながら高温で加熱する必要があるため、脇部やクロッチ部等の平坦な接合部の接着に適用できても、アームホール等の立体的な接合部への適用が困難であるという問題や、加熱時に生地片にテカリや当たり等のダメージを与える虞があるという問題があった。
【０００７】
また、熱変形弾性糸が編み込まれ、ヒートセット処理等により解れ止めされた生地片を用いる場合には、熱可塑性樹脂フィルムを用いた生地片の接合時に付与される熱の影響で熱変形弾性糸にダメージが加わって、解れ止め機能が損なわれたり、耐久性が損なわれてコース方向に沿った目割れが生じたりするという問題もあった。
【０００８】
さらには、フィルム状のホットメルト接着剤を用いると、フィルム幅に相当する幅にわたって生地に接着剤が浸潤するため、伸縮性があっても他の領域との間で伸縮性や柔軟性が異なり、違和感が生じるという問題もあった。
【０００９】
本発明の目的は、上述した問題に鑑み、生地片にダメージを与えることなく、立体的な接合部への適用が可能な衣類の接合方法及び衣類を提供する点にある。
【課題を解決するための手段】
【００１０】
上述の目的を達成するため、本発明による衣類の接合方法の特徴構成は、特許請求の範囲の書類の請求項１に記載した通り、ヨコ編地でなる複数の生地片を接着剤で接合して構成される衣類の接合方法であって、熱変形弾性糸が編み込まれた生地片の接着部に、前記熱変形弾性糸の熱変形温度よりも低い軟化温度または溶融温度を有する接着剤を塗布して、前記熱変形弾性糸の熱変形温度より低温で加熱処理して接着する点にある。
【００１１】
生地片の接着部位に熱変形弾性糸の熱変形温度よりも低い軟化温度または溶融温度を有するポリマー、プレポリマー及びオリゴマーから選ばれる少なくとも一種を主成分とする接着剤を塗布して、その上に接着対象となる生地片を重畳して加熱処理すれば、両生地片が接着される過程で熱変形弾性糸が熱変形することなく、接着剤が軟化または溶融するので、生地片に編み込まれた熱変形弾性糸が加熱処理時の熱によって損傷することなく、両生地片が接着されるようになる。その結果、加熱時に生地片にテカリや当たり等のダメージを与えることなく、解れ止め機能が損なわれたり、耐久性が損なわれてコース方向に沿った目割れが生じたりすることが無くなり、伸縮性が阻害されることが無く良好な着心地の衣類を製造することができるようになる。
【００１２】
同第二の特徴構成は、同請求項２に記載した通り、上述の第一の特徴構成に加えて、前記生地片の伸縮方向に沿った任意の直線上で接着位置が非接着領域を挟んで点状に分布する任意のパターンで前記接着剤が塗布される点にある。
【００１３】
ヨコ編地の伸縮方向に沿う任意の直線に沿って接着点では伸縮が抑制されるものの、大半の非接着領域で伸縮が許容され、全体として伸縮が許容されながらも、両生地が強固に接着されるようになる。
【００１４】
同第三の特徴構成は、同請求項３に記載した通り、上述の第一の特徴構成に加えて、前記接着剤がウレタンまたはオレフィンを含むポリマー、プレポリマー及びオリゴマーから選ばれる少なくとも一種を主成分とする接着剤である点にある。
【００１５】
本発明による衣類の第一の特徴構成は、同請求項４に記載した通り、ヨコ編地でなる複数の生地片が接合部で接合され、少なくとも接合部の一部が接着剤で接合されている衣類であって、前記接着剤で接合される生地片は、熱変形弾性糸が編み込まれた生地片で構成され、前記熱変形弾性糸の熱変形温度よりも低い軟化温度または溶融温度を有する接着剤が前記生地片に塗布され、前記熱変形弾性糸の熱変形温度より低温での加熱処理により接着されている点にある。
【００１６】
熱変形弾性糸の熱変形温度よりも低い軟化温度または溶融温度を有するポリマー、プレポリマー及びオリゴマーから選ばれる少なくとも一種を主成分とする接着剤が、生地片の接着部位に塗布されて加熱処理されると、生地片に編み込まれた熱変形弾性糸に熱による影響を及ぼすことなく、熱変形弾性糸の熱変形温度よりも低い軟化温度または溶融温度を有するポリマー、プレポリマー及びオリゴマーから選ばれる少なくとも一種を主成分とする接着剤が溶融して生地を構成する繊維間に浸潤して両生地が接着されるようになる。その結果、加熱時に生地片にテカリや当たり等のダメージを与えることなく、解れ止め機能が損なわれたり、耐久性が損なわれてコース方向に沿った目割れが生じたりすることが無くなり、伸縮性が阻害されることが無く良好な着心地の衣類が得られるようになる。
【００１７】
同第二の特徴構成は、同請求項５に記載した通り、上述の第一の特徴構成に加えて、前記生地片の伸縮方向に沿った任意の直線上で接着位置が非接着領域を挟んで点状に分布する任意のパターンで前記接着剤が塗布される点にある。
【００１８】
同第三の特徴構成は、同請求項６に記載した通り、上述の第一または第二の特徴構成に加えて、前記熱変形弾性糸が軟化温度１４０℃から１８５℃のポリウレタンであり、前記接着剤の主成分がウレタンまたはオレフィンを含むポリマー、プレポリマー及びオリゴマーから選ばれる少なくとも一種である点にある。
【００１９】
熱変形弾性糸の軟化温度が１４０℃より低いポリウレタンは、原糸製造時に繊度バラツキが発生し易いのに対して、軟化温度が１４０℃以上のポリウレタンは繊度バラツキが少なく安定しているため、生地品位の低下を回避できるようになる。熱変形弾性糸の軟化温度が１８５℃以下のポリウレタンを用いれば、生地製造時に生地焼け等を生じることなくウレタン同士が熱融着するので良好な解れ止め処理が実現できる。
【００２０】
熱変形弾性糸として軟化温度１４０℃から１８５℃のポリウレタンが用いられ、接着剤の主成分がウレタンまたはオレフィンを含むポリマー、プレポリマー及びオリゴマーから選ばれる少なくとも一種が用いられると、ポリウレタンとの親和性に優れ、ポリウレタンの軟化温度より低い温度での熱処理による良好な接着が可能になる。
【００２１】
同第四の特徴構成は、同請求項７に記載した通り、上述の第一から第三の何れかの特徴構成に加えて、前記接着剤の１２０℃溶融粘度が８０００ｍＰａ・ｓから２２０００ｍＰａ・ｓである点にある。
【００２２】
接着剤の１２０℃溶融粘度が８０００ｍＰａ・ｓから２２０００ｍＰａ・ｓであれば熱処理時に大きな加圧力を与えなくても、生地を構成する繊維間に良好に接着剤が浸潤し、十分な接着強度が得られるようになる。その結果、熱変形弾性糸に熱的影響を与えたり、生地片にテカリや当たり等のダメージを与えたりすることなく良好に接着できるようになる。
【００２３】
同第五の特徴構成は、同請求項８に記載した通り、上述の第四の特徴構成に加えて、前記接着剤の１２０℃溶融粘度が１３０００ｍＰａ・ｓから１９０００ｍＰａ・ｓである点にある。
【００２４】
特に、接着剤の１２０℃溶融粘度が１３０００ｍＰａ・ｓから１９０００ｍＰａ・ｓであることが好ましい。
【００２５】
同第六の特徴構成は、同請求項９に記載した通り、上述の第一から第五の何れかの特徴構成に加えて、前記接着剤を用いて生地片が輪状に接合されている点にある。
【００２６】
熱処理前の位置決めや保持が困難なフィルム状の接着剤に対して、予め生地に塗布する接着剤であればアームホール等の立体的な接合部であっても容易に塗布することができ、また接着剤の塗布量や塗布パターンを調整できるので、接着領域での生地の伸縮性や柔軟性が他の領域と殆ど変ることなく良好な肌触りが得られるようになる。
【００２７】
同第七の特徴構成は、同請求項１０に記載した通り、上述の第一から第六の何れかの特徴構成に加えて、前記接着剤は反応型ホットメルト樹脂である点にある。
【００２８】
溶融された反応型ホットメルト樹脂を生地の接着部に塗布し、架橋反応が進む前に接着対象となる生地を位置決めして重畳して軽く押し付けることで仮止め状態となる。その後、加熱処理すると反応型ホットメルト樹脂が溶融して生地を構成する繊維間に浸潤して両生地が接着される。そして、接着後に架橋反応が進むと耐熱性が現れるので、その後の加熱処理で溶融するようなことがなく、良好な接着状態が維持される。
【発明の効果】
【００２９】
以上説明した通り、本発明によれば、生地片にダメージを与えることなく、立体的な接合部への適用が可能な衣類の接合方法及び衣類を提供することができるようになった。
【図面の簡単な説明】
【００３０】
【図１】（ａ）は本発明による衣類の一例であるアンダーシャツの正面表側から視た説明図、（ｂ）は同背面表側から視た説明図、（ｃ）は着用状態の説明図
【図２】本発明による衣類を構成する生地片を編地から裁断する際の説明図
【図３】本発明による衣類の身生地を構成するヨコ編地の編組織の説明図
【図４】（ａ）は肩接ぎの接合処理の説明図、（ｂ）は袖部の接合処理の説明図、（ｃ）はアームホールの接合処理の説明図、（ｄ）は接合処理が終了した衣類の説明図
【図５】熱処理の説明図
【図６】（ａ）から（ｄ）はそれぞれ接着パターンの態様の説明図
【図７】接着部の説明図
【図８】実施例１〜８、比較例１〜４の被接着布に使用した熱変形性弾性糸、接着剤の特性、加熱処理温度（プレス温度）、接着強度、接着部の品位の評価を示す表
【発明を実施するための形態】
【００３１】
以下、本発明による衣類の接合方法及び衣類を図面に基づいて説明する。
図１（ａ），（ｂ），（ｃ）には、本発明による衣類の一例である正面視、背面視及び着用状態のアンダーシャツ１が示されている。当該アンダーシャツ１は、前身頃２、後身頃３及び左右の袖部４を備えて構成され、前後身頃２，３の肩線同士が肩接ぎ部７で接合されるとともに前後身頃２，３のアームホールＡＨｆ，ＡＨｂに左右の袖部４の袖山がそれぞれ接合されている。図１中、各接合部が破線で示されている。
【００３２】
図２に示すように、当該アンダーシャツ１は、丸編機で編成された筒状の生地Ｔを用いて構成されている。具体的に、天竺編、フライス編またはスムース編等の長尺の筒状生地Ｔが所要の着丈Ｌ１を確保可能な長さで裁断されるとともに、筒状体の上部がアームホールＡＨｆ，ＡＨｂ、肩線ＳＬｆ，ＳＬｂ、及び襟刳りＮＨｆ，ＮＨｂとなる部位で裁断され、裁断片から袖部４を構成する生地片が裁断される。つまり、当該アンダーシャツ１は、脇接ぎ部の無い筒状体で構成されている。
【００３３】
図１（ｃ）に示すように、次に、袖部４の端縁４０が筒状となるように下部で接合されて袖下接ぎ部４１が構成され、身生地の肩線ＳＬｆ，ＳＬｂ同士が接合されて肩接ぎ部７が構成され、アームホールＡＨｆ，ＡＨｂに袖部４が接合されて袖接ぎ部ＡＨが構成され、さらに襟刳りＮＨｆ，ＮＨｂに丸襟５が接合される。
【００３４】
袖下接ぎ部４１、肩接ぎ部７及び袖接ぎ部ＡＨの接合処理に接着剤を用いた接着処理が採用され、襟刳りＮＨｆ，ＮＨｂと丸襟５との接合処理に縫製処理が採用されている。
【００３５】
尚、本発明によるアンダーシャツ１は、ヨコ編地を用いた筒状体生地で構成される態様に限られることはなく、前後身頃２，３の左右が裁断されたヨコ編地を用いて前身頃２と後身頃３をそれぞれ左右の脇部で接合するように構成された態様であってもよい。その場合、脇部の接合処理にも接着剤を用いた接着処理が採用されることが好ましい。また、襟刳りＮＨｆ，ＮＨｂに特段の襟を縫製することなく、後述する切りっ放し処理で襟刳りＮＨｆ，ＮＨｂそのもので丸襟５が構成されていてもよい。
【００３６】
何れの生地を用いる場合でも、ヨコ編地のコース方向が身幅に沿うように、そしてウェール方向が着丈に沿うように用いられることが好ましく、ヨコ編地のコース方向が袖部４の袖周りに沿うように用いられることが好ましい。
【００３７】
図３には、当該アンダーシャツ１に用いられるヨコ編地（丸編地）の編組織が示されている。当該ヨコ編地１０は、熱変形性弾性糸１１とその他の糸１２がプレーティング編みで編成され、その後にヒートセット加工が施されることによって熱変形した熱変形性弾性糸１１がその他の糸１２の周りで互いに融着することにより解れ止め機能が発現する編地で構成されている。
【００３８】
本実施形態では、熱変形性弾性糸１１として２２〜４４ｄｔｅｘ（デシテックス／フィラメント）のポリウレタン弾性糸が用いられ、その他の糸１２として単糸繊度８０／１〜３０／１番手の綿糸または綿とレイヨンの混紡糸が用いられている。ポリウレタン弾性糸１１のフィラメント数は特に限定されず、モノフィラメントでもマルチフィラメントでもよい。
【００３９】
それぞれ異なる給糸口から編み針に給糸して編み立てられたプレーティング編地は、各編成ループにおける低融点ポリウレタン弾性糸１１と綿糸１２との配置が安定しているため、全てのループに低融点ポリウレタン弾性糸１１を隣接させることができ、編立後のヒートセット加工により低融点ポリウレタン弾性糸を溶融すれば、編地の全てのループで確実にほつれ止め機能が発現するようになる。
【００４０】
当該ヨコ編地１０は丸編機を用いて筒状シームレスの編地に編成された後にセット機にセットされて１５０〜１９０℃でヒートセットされ、必要に応じて染色工程を経た後に再度セット機にセットされ、張力がかけられた状態で１００〜１２０℃の温度で最終的なヒートセットが行なわれる。
【００４１】
上述したように、低融点ポリウレタン弾性糸１１とともにヨコ編地１０を構成するその他の糸１２として、綿糸等の天然繊維が好適に用いられるが、天然繊維以外に、キュプラ、ビスコースレーヨン等の再生セルロース繊維、天然繊維との混紡糸、ポリエステル等の合成繊維等を用いることも可能である。
【００４２】
このような解れ止め加工を施した編地を採用すれば、パイピング処理等の特段の解れ止め処理をしなくても、裁断端部から繊維が解れることが無い。このような端部を切りっ放し処理された端部といい、洗濯を繰り返しても切りっ放し処理された端部から繊維が解れるような見栄えの悪化を招くことが無い。
【００４３】
パイピング処理の他、例えば端部を折り返して縫着するような解れ止め加工が不要になるので、端部の厚み等に起因する肌触りの悪化による不快感を招くことがなく、肌に優しい衣類が提供できるようになる。
【００４４】
図１（ａ）〜（ｃ）及び図２に示したアンダーシャツ１は、肩線ＳＬｆ，ＳＬｂ、襟刳りＮＨｆ，ＮＨｂ、アームホールＡＨｆ，ＡＨｂ、袖部４の端縁４０、袖先４４及び裾６が切り放し処理されている。
【００４５】
熱変形性弾性糸として低融点ポリウレタン弾性糸のような熱融着性弾性糸を用いる以外に、ポリウレタンウレア弾性繊維を用いることも可能である。ヒートセット加工等の加熱加工によりポリウレタンウレア弾性繊維同士またはポリウレタンウレア弾性繊維と相手糸との接触点でポリウレタンウレア弾性繊維の圧縮変形が発生し、ポリウレタンウレア弾性繊維同士またはポリウレタンウレア弾性繊維への相手糸の固着が生じるため、編地からポリウレタンウレア弾性繊維や相手糸が抜けにくくなり、カールや解れが抑制された編地を得ることができる。つまり、加熱処理により溶融し或いは圧縮変形するような特性を備えた熱変形性弾性糸であれば低融点ポリウレタン弾性糸やポリウレタンウレア弾性糸以外の繊維も値用可能である。つまり熱変形温度とは、ポリウレタンの軟化温度やポリウレタンウレアの圧縮変形温度等、解れ止め機能を具現化するために熱変形する温度を意味する。
【００４６】
図４（ａ）には肩接ぎ部７の接合状態が示され、図４（ｂ）には袖下接ぎ部４１の接合状態が示され、図４（ｃ）には袖接ぎ部ＡＨの接合状態が示され、図４（ｄ）には接合処理後のアンダーシャツ１が示されている。
【００４７】
図４（ａ）に示すように、前身頃２の肩線ＳＬｆの表側縁部に沿った所定幅の帯状領域に接着剤３０がジグザグ状に塗布され、後身頃３側の肩線ＳＬｂの裏側縁部がその上に重畳されて肩接ぎ部７が構成されている。尚、後身頃３側の肩線ＳＬｂの表側縁部に接着剤３０が塗布され、前身頃２の肩線ＳＬｆの裏側縁部がその上に重畳されていてもよい。
【００４８】
図４（ｂ）に示すように、袖部４の一対の端縁４０のうち後身頃３側の端縁４０の表側縁部に沿った所定幅の帯状領域に接着剤３０がジグザグ状に塗布され、前身頃２側の端縁４０の裏側縁部がその上に重畳されて袖下接ぎ部４１が構成されている。上述と同様、端縁４０の一方の縁部に接着剤を塗布して他方の縁部を重畳させればよい。
【００４９】
図４（ｃ）に示すように、肩接ぎ部７が接合されて輪状に形成されたアームホールＡＨｆ，ＡＨｂの表側縁部に沿った所定幅の帯状領域に接着剤３０がジグザグ状に塗布され、袖部４の袖山４５の裏側縁部がその上に重畳されて袖接ぎ部ＡＨが構成されている。袖部４の袖山４５の表側縁部に沿った所定幅の帯状領域に接着剤３０が塗布され、アームホールＡＨｆ，ＡＨｂの裏側縁部がその上に重畳されていてもよい。
【００５０】
図４（ｄ）に示すように、接着剤による接合処理が終了すると、襟刳りＮＨｆ，ＮＨｂ、袖先４４及び裾６が切りっ放し処理されたアンダーシャツ１が出来上がる。
【００５１】
接着剤として、生地片に編み込まれた熱変形弾性糸の熱変形温度よりも低い軟化温度または溶融温度を有するポリマー、プレポリマー及びオリゴマーから選ばれる少なくとも一種を主成分とする接着剤が好適に用いられ、加熱溶融した接着剤を熱変形弾性糸の熱変形温度より低温で加熱処理することにより接着される。
【００５２】
具体的に、熱変形弾性糸として熱変形温度が１４０℃から１８５℃の範囲のポリウレタンが用いられ、接着剤として主成分がウレタンまたはオレフィンを含むポリマー、プレポリマー及びオリゴマーから選ばれる少なくとも一種を主成分とする湿気硬化性の反応型ホットメルト樹脂が用いられる。
【００５３】
図５に示すように、１２０℃に加熱した液状の接着剤３０を、ギアポンプ５０を備えたノズル５２から生地片（例えば袖部４）の帯状領域に供給塗布した後、その上に接合対象となる生地片（例えば身頃２のアームホール）を位置決めして重畳することで仮止めし、仮止め後、例えば両生地片の重畳部を筒状体５４と加熱ローラ５６との間に挟み込んで加熱ローラ５６を回転させて約７０℃の温度で重畳領域全体を加熱処理することにより、接着剤３０が溶融して両生地片を構成する繊維に浸潤する。接着後に架橋反応が進むことにより耐熱性が現れ、その後の加熱処理で溶融することは無い。尚、加熱処理時の圧力は、１５０〜３００ｇｆ／ｃｍ２が好ましい。
【００５４】
このような接着剤を生地片の接着部位に塗布して加熱処理すると、接着剤が軟化または溶融して生地を構成する繊維間に浸潤して両生地が接着されるようになる。このとき、生地片に編み込まれた解れ止めの熱変形弾性糸に熱による影響を及ぼすことなく、解れ止め機能の劣化を来すことが無い。
【００５５】
接着剤の１２０℃溶融粘度が８０００ｍＰａ・ｓから２２０００ｍＰａ・ｓであることが好ましく、１３０００ｍＰａ・ｓから１９０００ｍＰａ・ｓであることがさらに好ましい。
【００５６】
接着剤の１２０℃溶融粘度がこれらの範囲であれば熱処理時に大きな加圧力を与えなくても、生地を構成する繊維間つまり生地の厚み方向及び面方向に良好に接着剤が浸潤し、十分な接着強度が得られるようになる。また、その際に接着剤が生地の反対側表面に浸潤することも無いので、見栄えの劣化が生じることも無い。その結果、熱変形弾性糸に熱的影響を与えたり、生地片にテカリや当たり等のダメージを与えたりすることなく良好に接着できるようになる。
【００５７】
このような接着剤を用いて接合処理する好適な対象としてアームホールのような生地片を輪状に接合する必要がある箇所が挙げられる。予め生地に塗布する接着剤であればアームホール等の立体的な接合部であっても容易に塗布することができ、また接着剤の塗布量や塗布パターンを調整できるので、接着領域での生地の伸縮性や柔軟性が他の領域と殆ど変ることなく良好な肌触りが得られるようになる。
【００５８】
図６（ａ）〜（ｅ）には、接着層を形成する線状の接着パターンが例示されている。身生地となるヨコ編地１０の伸縮方向１０ｄつまりコース方向に沿う直線Ｌに対して、所定の繰返しピッチＢｐ、所定の振幅Ｂａで交差するように加熱溶融された接着剤３０が線状に連続またはドット状に塗布され、その後、相手側の身生地と重畳されて加熱処理されることにより接着される。
【００５９】
ヨコ編地１０の伸縮方向１０ｄに沿う任意の直線Ｌと線状の接着パターンとの交点に注目すると、所定ピッチＢｐの２倍のピッチで接着剤が塗布された接着点Ｂと、隣接する接着点Ｂの間の非接着領域ＮＢが交互に配列されるようになる。つまり、伸縮方向１０ｄに沿った任意の直線Ｌ上に接着位置が点状に分布する。
【００６０】
このような関係が所定幅の帯状領域で維持されることにより、ヨコ編地１０の伸縮方向１０ｄに沿う任意の直線Ｌに沿って接着点Ｂでは伸縮が抑制されるものの、大半の非接着領域ＮＢで伸縮が許容され、全体として伸縮が許容されながらも、両生地が強固に接着されるようになる。
【００６１】
接着剤が塗布される帯状の領域の好ましい幅は２ｍｍ〜１５ｍｍであり、４ｍｍ〜１０ｍｍがより好ましい。
【００６２】
接着パターンとして、図６（ａ），（ｂ），（ｃ）に示すようなジグザグパターンや、図６（ｄ）に示すようなサインカーブのような曲線の繰返しパターンや、図６（ｅ）に示すような菱形の繰返しパターン等、伸縮方向１０ｄに沿った任意の直線Ｌ上で接着位置が非接着領域を挟んで点状に分布するような任意のパターンを採用することができる。さらに、図６（ｆ）に示すように、所定サイズのドット状に配列するように接着剤を塗布してもよい。
【００６３】
２枚の重なった部分の面積、つまり繰返しピッチＢｐと振幅Ｂａの積で求まる面積に対する接着部の面積の割合は４０〜８０％であることが好ましく、５０％〜７０％であることがより好ましい。ここで、繰返しピッチＢｐや振幅Ｂａは、接着対象となる生地特性や目標とする接着強度等に基づいて適宜設定される値である。
【００６４】
図７上部にはジグザグ状に接着剤３０が塗布されたヨコ編地１０が示され、図７下部にはその接着剤３０の塗布後に接着対象となるヨコ編地が重畳され、熱処理された後のＡ−Ａ線断面つまり接着層の断面が示されている。
【００６５】
ヨコ編地１０の表面に塗布された接着剤３０が、熱処理によって両生地の厚み方向に浸潤して繊維間で固化し、接着剤のみの層が形成されることなく、生地同士が密接した接着層が形成されるようになる。
【００６６】
接着剤として、ウレタンまたはオレフィンを含むポリマー、プレポリマー及びオリゴマーから選ばれる少なくとも一種を主成分とする湿気硬化性の反応型ホットメルト樹脂を用いた例を説明したが、ポリウレタン等の熱変形弾性糸の熱変形温度より低い熱処理で接着が可能な接着剤であれば、湿気硬化性の反応型ホットメルト樹脂に限らず公知の接着剤を使用することができる。例えば、熱可塑性樹脂を用いることも可能である。
【００６７】
即ち、接着剤に用いられる熱可塑性樹脂としては、上述の加熱処理条件を満たす限りにおいて、例えば、ポリウレタン系ホットメルト樹脂、ポリエステル系ホットメルト樹脂、ポリアミド系ホットメルト樹脂、ＥＶＡ系ホットメルト樹脂、ポリオレフィン系ホットメルト樹脂、スチレン系エラストマー樹脂、湿気硬化型ホットメルト樹脂、反応型ホットメルト樹脂等が挙げられる。中でも湿気硬化型ホットメルト樹脂は、接着強度が高く、しかも短時間での接着が可能な点で特に好ましい。
【００６８】
上述した実施形態では半袖丸襟のアンダーシャツを例に説明したが、本発明は五分袖、七分袖、長袖のアンダーシャツにも適用可能であり、襟の形状もＶ襟、Ｕ襟であってもよい。また前後身頃が左右端部で裁断され、左右の脇部を接合する必要がある場合には、脇部の接合にも本発明による接着剤を用いた接合方法が適用可能である。
【００６９】
以上、アンダーシャツを例に本発明による衣類を説明したが、本発明による衣類は、アンダーシャツに限定されるものではなく、ボクサーパンツ、ブリーフ、ショーツ、キャミソール、チュニック等の肌着に適用可能であり、特に袖付衣類等、接着剤を用いて生地片を輪状に接合する必要がある肌着及び肌着以外の衣類に好ましく適用できる。
【実施例】
【００７０】
以下、本発明を実施例に基づいて詳細に説明する。
以下の実施例では、ポリウレタン繊維の軟化点、接着強度、当たり、テカリ、風合い、ウレタン劣化の各評価項目について、以下の方法により評価した。尚、本発明は実施例で示す生地及び接着剤に限定されるものではない。
[ポリウレタン繊維の軟化点の測定]
熱変形弾性糸として用いるポリウレタン繊維のハードセグメント、中間セグメント、ソフトセグメントの緩和時間Ｔ２（スピン−スピン緩和時間）を、パルス核磁気共鳴（ＮＭＲ）装置（日本電子株式会社製：ＪＮＭ−ＭＵ２５）を用いて測定した。測定条件は次の通りである。
測定方式：Ｓｏｌｉｄ−Ｅｃｈｏ法
測定条件：９０°  パルス幅２．０μｓ
パルス繰り返し時間：４ｓ
積算回数：８回
測定温度：室温、１００℃、１２０℃、１４０℃、１５０℃、１６０℃、１７０℃、１８０℃、１９０℃、２００℃
各温度におけるパルスＮＭＲで得られる自由誘導減衰（ＦＩＤ）信号を３成分近似で解析し、ポリウレタン繊維のハード成分、中間成分、ソフト成分の緩和時間Ｔ２を求めた。ポリウレタン繊維のソフト成分の分子運動は、ウレタンの水素結合により抑えられている。昇温により、この水素結合が切れることにより、分子鎖の運動性は急激に上昇する。従って、各試料の各測定温度におけるソフト成分のＴ２値をグラフにして、運動性が変化する前後の曲線からそれぞれ接線を求め、その交点をポリウレタン繊維の軟化点とした。
【００７１】
[溶融粘度]
溶融粘度の測定は、ＪＩＳ  Ｋ５６００の「コーン・プレート粘度計法」の測定方法に準じて、１２０℃の接着剤の粘度を測定した。接着剤をプレートとコーンの間に入れ、ローターを回転させ、読みが安定した時の値を採用した。
【００７２】
[接着強度]
接着強度の測定は、ＪＩＳ  Ｌ１０８６の「剥離強さ」の測定方法に準じて行った。
各実施例、比較例で作成した被接着布から試験片（幅２５ｍｍ×長さ１５０ｍｍ）をウェール方向及びコース方向にそれぞれ５枚以上採取し、長辺の方向に、辺から約５０ｍｍを剥離し、自己記録装置付き引張試験器を用い、試験片のつかみ間隔を５０ｍｍとして、クランプに挟んだ。
【００７３】
引張速度は、１００ｍｍ／ｍｉｎとし、５０ｍｍ間を剥離した。剥離するときに示す極大値の大きいものから順次３個、小さいものから順次３個をとり、計６個の平均値を算出し、ウェール方向及びコース方向それぞれ５回以上の平均値を四捨五入して求めた。
【００７４】
[当たり]
各実施例、比較例で作成した被接着布を試料とし、接着部位が非接着部位と比較して見え方が異なるかどうかを確認した。見え方を以下の指標にて２段階で評価した。「当たり」とは、熱処理時に生じる生地表面の毛羽の倒れで光の反射特性が変化することに起因する外観品位の劣化をいい、毛羽の倒れは生地に湿気を付与することで回復する。
無し：見え方が同じ
有り：見え方が異なる
【００７５】
[テカリ]
各実施例、比較例で作成した被接着布を試料とし、接着部位を観察した。繊維が塑性変形し、外観品位を観察した、外観品位を以下の指標にて、２段階で評価した。「テカリ」とは、熱処理時に生じる繊維の塑性変形による外観品位の劣化をいい、湿気を付与しても回復しない。
無し：外観品位良好
有り：外観品位不良
【００７６】
[風合い]
各実施例、比較例で作成した被接着布を試料とし、その風合いを以下の指標にて、３段階で評価した。
○：芯がなく柔らかい
△：固い
×：芯があって固い
【００７７】
[ウレタン劣化]
各実施例、比較例で作成した被接着布を試料片として、各試料片を掴み間隔５ｃｍでデマッチャー試験機に取り付け、試験片を緯方向に伸長率２．５倍（１５０％）で５０００回繰り返し伸縮を行ない、その後、接着部位周辺を観察し、ウレタン劣化を以下の指標にて２段階で評価した。
無し：ポリウレタン糸が切れた部分は観察されない、またはポリウレタン糸の切れは観察されず、繰り返し使用による目割れの発生が観察されない
有り：ポリウレタン糸が切れた部分が観察される、またはポリウレタン糸の切れは観察されないが、繰り返し使用による目割れの発生が観察される
【００７８】
（実施例１）
〈使用生地〉
表糸として綿とレイヨンの混紡糸（綿：５０％、レイヨン：５０％）６０／１番手を用い、裏糸として２２ｄｔｅｘ、軟化点１４０℃のポリウレタン糸を用いた。フライス編機を用い、上記混紡糸とポリウレタン糸を給糸口から編み針に給糸してプレーティング編地を編成し、ダイヤル針、シリンダー針で全針ニット編みを行ない、１×１のゴム編地を編成した。編成されたゴム編地をセット機にセットして１７０℃でヒートセットし、再度セット機にセットして、張力がかけられた状態で１２０℃の温度で最終的なヒートセットを行ない、解れ止め加工を施した編地を得た。この編地を切断（幅２００ｍｍ×長さ１５０ｍｍ）して、実施例１の生地とした。
【００７９】
〈接着剤〉
接着剤として、ポリウレタン系の湿気硬化型反応性ホットメルト接着剤を用いた。使用したポリウレタン系接着剤の１２０℃における溶融粘度は７９３０(ｍＰａ・ｓ)であった。
【００８０】
〈接着接合処理〉
上記実施例１の生地の帯状領域に、上記接着剤を塗布した後、その上に接合対象となる生地片を重畳することで仮止めした。仮止め後、両生地片の重畳部を、加熱ローラを回転させて約７５℃の温度、２５０ｇｆ／ｃｍ２の圧力で重畳領域全体を加熱処理して、接着接合し、実施例１の被接着布を作成した。
【００８１】
（実施例２）
接着剤として、１２０℃における溶融粘度が２１５００（ｍＰａ・ｓ）のポリウレタン系の湿気硬化型反応性ホットメルト接着剤を用い、１００℃で加熱処理をした以外は、実施例１と同じ生地を用いて接着接合し、実施例２の被接着布を作成した。
【００８２】
（実施例３）
熱変形性弾性糸として、２２ｄｔｅｘ、軟化点１８５℃のポリウレタン糸を用いた以外は、実施例１と同様にして編成した生地を用いて接着接合し、実施例３の被接着布を作成した。
【００８３】
（実施例４）
熱変形性弾性糸として、２２ｄｔｅｘ、軟化点１８５℃のポリウレタン糸を用い、接着剤として、１２０℃における溶融粘度が２１５００（ｍＰａ・ｓ）のポリウレタン系の湿気硬化型反応性ホットメルト接着剤を用い、１００℃で加熱処理をした以外は、実施例１と同様にして編成した生地を用いて接着接合し、実施例４の被接着布を作成した。
【００８４】
（実施例５）
接着剤として、１２０℃における溶融粘度が１３６００（ｍＰａ・ｓ）のポリウレタン系の湿気硬化型反応性ホットメルト接着剤を用い、８０℃で加熱処理をした以外は、実施例１と同様にして編成した生地を用いて接着接合し、実施例５の被接着布を作成した。
【００８５】
（実施例６）
接着剤として、１２０℃における溶融粘度が１９３００（ｍＰａ・ｓ）のポリウレタン系の湿気硬化型反応性ホットメルト接着剤を用い、９０℃で加熱処理をした以外は、実施例１と同様にして編成した生地を用いて接着接合し、実施例６の被接着布を作成した。
【００８６】
（実施例７）
熱変形性弾性糸として、２２ｄｔｅｘ、軟化点１８５℃のポリウレタン糸を用い、接着剤として、１２０℃における溶融粘度が１３６００（ｍＰａ・ｓ）のポリウレタン系の湿気硬化型反応性ホットメルト接着剤を用い、８０℃で加熱処理をした以外は、実施例１と同様にして編成した生地を用いて接着接合し、実施例７の被接着布を作成した。
【００８７】
（実施例８）
熱変形性弾性糸として、２２ｄｔｅｘ、軟化点１８５℃のポリウレタン糸を用い、接着剤として、１２０℃における溶融粘度が１９３００（ｍＰａ・ｓ）のポリウレタン系の湿気硬化型反応性ホットメルト接着剤を用い、９０℃で加熱処理をした以外は、実施例１と同様にして編成した生地を用いて接着接合し、実施例８の被接着布を作成した。
【００８８】
（比較例１）
熱変形性弾性糸として、２２ｄｔｅｘ、軟化点１２０℃のポリウレタン糸を用い、接着剤として、１２０℃における溶融粘度が６８２０（ｍＰａ・ｓ）のポリウレタン系の湿気硬化型反応性ホットメルト接着剤を用い、６０℃で加熱処理をした以外は、実施例１と同様にして編成した生地を用いて接着接合し、比較例１の被接着布を作成した。
【００８９】
（比較例２）
熱変形性弾性糸として、２２ｄｔｅｘ、軟化点１２０℃のポリウレタン糸を用い、接着剤として、１２０℃における溶融粘度が２４２００（ｍＰａ・ｓ）のポリウレタン系の湿気硬化型反応性ホットメルト接着剤を用い、１４０℃で加熱処理をした以外は、実施例１と同様にして編成した生地を用いて接着接合し、比較例２の被接着布を作成した。
【００９０】
（比較例３）
熱変形性弾性糸として、２２ｄｔｅｘ、軟化点１６０℃のポリウレタン糸を用い、接着剤として、１２０℃における溶融粘度が２３２００（ｍＰａ・ｓ）のポリウレタン系の湿気硬化型反応性ホットメルト接着剤を用い、１４０℃で加熱処理をした以外は、実施例１と同様にして編成した生地を用いて接着接合し、比較例３の被接着布を作成した。
【００９１】
（比較例４）
熱変形性弾性糸として、２２ｄｔｅｘ、軟化点１８５℃のポリウレタン糸を用い、接着剤として、１２０℃における溶融粘度が６８２０（ｍＰａ・ｓ）のポリウレタン系の湿気硬化型反応性ホットメルト接着剤を用い、６０℃で加熱処理をした以外は、実施例１と同様にして編成した生地を用いて接着接合し、比較例３の被接着布を作成した。
【００９２】
図８には、上記実施例１〜８、比較例１〜４の被接着布に使用した熱変形性弾性糸、接着剤の特性、加熱処理温度（プレス温度）、接着強度、接着部の品位の評価が示されている。尚、各実施例及び比較例に対する接着剤の塗布パターンは同一であり、詳しくは、反応性ホットメルト接着剤を６．０ｍｍ幅で、３．０ｍｍピッチのジグザク形状に塗布している。
【００９３】
図８から、熱変形弾性糸の軟化温度が１４０℃である実施例１の被接着布は、熱変形弾性糸の軟化温度が１２０℃である比較例１の被接着布にくらべ、接着強度に優れることがわかる。なお、軟化温度が１９５℃の熱変形弾性糸を用いた場合は、切りっぱなし性能がないため、比較例に含めなかった。これらの結果から熱変形弾性糸が軟化温度１４０℃から１８５℃の範囲にあれば、生地片にダメージを与えることなく、熱処理による良好な接着が可能になることがわかった。
【００９４】
図８から、１２０℃における溶融粘度が８０００ｍＰａ・ｓから２２０００ｍＰａ・ｓであれば、生地を構成する繊維間に良好に接着剤が浸潤し、十分な接着強度が得られていることがわかる。また、熱変形弾性糸に熱的影響を与えたり、生地片にテカリや当たり等のダメージを与えたりすることなく良好な接着物が得られていることがわかった。
【００９５】
実験番号１〜８（実施例１〜８）の熱変形弾性糸として軟化温度１４０℃から１８５℃のポリウレタン糸を用いた場合には、良好な接着物が得られていることがわかった。また、１２０℃溶融粘度が８０００ｍＰａ・ｓから２２０００ｍＰａ・ｓである実験番号１〜８（実施例１〜８）の接着剤を用いた場合に良好な接着物が得られ、１２０℃溶融粘度が８０００ｍＰａ・ｓから２２０００ｍＰａ・ｓである実験番号５〜８（実施例１〜４）の接着剤を用いた場合にさらに良好な接着物が得られることがわかった。
【産業上の利用可能性】
【００９６】
本発明による衣類は、解れ止めの熱変形弾性糸が編み込まれた生地片にダメージを与えることなく、袖部等の立体的な接合部への適用が可能なアンダーシャツ等の衣類を始めとする様々な衣類の接合方法として、また当該接合方法で接合処理された衣類として、肌触りに優れた快適な衣類として活用される。
【符号の説明】
【００９７】
１：衣類（アンダーシャツ）
２：前身頃
３：後身頃
４：袖部
５：丸襟
６：裾
７：肩接ぎ部
１０：ヨコ編地（身生地）
３０：接着剤
４１：袖下接ぎ部
ＡＨ：袖接ぎ部
【図１】
2018159166.tif 000003
【図２】
2018159166.tif 000004
【図３】
2018159166.tif 000005
【図４】
2018159166.tif 000006
【図５】
2018159166.tif 000007
【図６】
2018159166.tif 000008
【図７】
2018159166.tif 000009
【図８】
2018159166.tif 000010